(57)【要約】【課題】本発明の目的は、モールド変圧器の巻線に発生する温度上昇の予知と、鉄心と巻線の間に形成した冷却空隙の清掃時期の的確な判断を可能にしたモールド変圧器の監視システムを提供する。【解決手段】本発明のモールド変圧器の監視システムは、鉄心と、樹脂モールドコイルの１次巻線と、樹脂モールドコイルの２次巻線がそれぞれ設置され、鉄心と１次巻線との間、及び１次巻線と２次巻線との間に冷却空気が流れる冷却空隙がそれぞれ形成されたモールド変圧器において、冷却空隙の上部に光を発光する光発光器を設置し、冷却空隙の下部に光発光器から発光された光を受光する光検出器を設置し、光検出器で検出された光量の検出信号に基づいて冷却空隙の通風状態を判断する通風状態判断装置を設置し、通風状態判断装置で判断させた冷却空隙の通風状態を表示する表示装置を設置して、モールド変圧器の冷却空隙の通風状態を監視するように構成した。【選択図】図１
2010123609.tif 000002
【特許請求の範囲】
【請求項１】
鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器において、
前記冷却空隙の上部に光を発光する光発光器を設置し、前記冷却空隙の下部に光発光器から発光された光を受光する光検出器を設置し、前記光検出器で検出された光量の検出信号に基づいて冷却空隙の通風状態を判断する通風状態判断装置を設置し、前記通風状態判断装置で判断させた冷却空隙の通風状態を表示する表示装置を設置して、モールド変圧器の冷却空隙の通風状態を監視するように構成したことを特徴とするモールド変圧器の監視システム。
【請求項２】
請求項１に記載のモールド変圧器の監視システムにおいて、
前記通風状態判断装置には、前記光検出器で検出された光量の検出信号と比較する光量の設定値が設定された設定器と、前記設定器で設定された光量の設定値と前記光検出器で検出された光量の検出信号との比較に基づいてモールド変圧器の冷却空隙の通風状態を判断する判断器とが備えられていることを特徴とするモールド変圧器の監視システム。
【請求項３】
鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器において、
前記冷却空隙の下部にこの冷却空隙を流れる空気の流量を検出する流量検出器を設置し、前記流量検出器で検出された空気流量の検出信号に基づいて冷却空隙の通風状態を判断する通風状態判断装置を設置し、前記通風状態判断装置で判断させた冷却空隙の通風状態を表示する表示装置を設置して、モールド変圧器の冷却空隙の通風状態を監視するように構成したことを特徴とするモールド変圧器の監視システム。
【請求項４】
請求項３に記載のモールド変圧器の監視システムにおいて、
前記通風状態判断装置には、前記流量検出器で検出された空気流量の検出信号と比較する空気流量の設定値が設定された設定器と、前記設定器で設定された空気流量の設定値と前記流量検出器で検出された空気流量の検出信号との比較に基づいてモールド変圧器の冷却空隙の通風状態を判断する判断器とが備えられていることを特徴とするモールド変圧器の監視システム。
【請求項５】
鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器の監視方法であって、
前記冷却空隙の上部に設置した光発光器から光を発光し、前記冷却空隙の下部に設置した光検出器によって該光発光器から発光されて冷却空隙を通過した光を受光し、
この光検出器で受光されて通風状態判断装置に入力した光量の検出信号と予め設定した光量との設定値との比較に基づいて冷却空隙の通風状態を判断し、
この冷却空隙の通風状態の判断結果を表示装置に表示して、モールド変圧器の冷却空隙の通風状態を監視するようにしたことを特徴とするモールド変圧器の監視方法。
【請求項６】
鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器の監視方法であって、
前記冷却空隙の下部に設置した流量検出器によってこの冷却空隙を流れた空気の流量を検出し、
この流量検出器で検出されて通風状態判断装置に入力した空気流量の検出信号と予め設定した空気流量との設定値との比較に基づいて冷却空隙の通風状態を判断し、
この冷却空隙の通風状態の判断結果を表示装置に表示して、モールド変圧器の冷却空隙の通風状態を監視するようにしたことを特徴とするモールド変圧器の監視方法。
【発明の詳細な説明】
【技術分野】
【０００１】
本発明は、樹脂製被覆を持つモールド変圧器の監視システム及びモールド変圧器の監視方法に関するものである。
【背景技術】
【０００２】
変圧器のコイルを樹脂でモールドしたモールド変圧器は、自ら熱を発してメンテナンスを行なう頻度が低い機器であり、このようなモールド変圧器は冷却空隙を設けることによる自冷方式を採用している。
【０００３】
このモールド変圧器の温度上昇に直接つながる要因としては、変圧器に流れる電流による発熱と冷却能力の低下が挙げられる。
【０００４】
特開平８−７８２４１号公報には、変圧器の巻線を流れる電流によってモールド変圧器に生じる温度上昇に対して、低圧側巻線と高圧側巻線との間に絶縁物を介して設置した混触防止版に熱電対を設け、この混触防止版の温度を検出することで巻線温度を測定する技術が開示されている。
【０００５】
また、特開平６−３４９６４８号公報には、モールド変圧器に良好な冷却風の流れを確保して良好な冷却効果を得るために、モールド変圧器の下部を覆う風洞を設け、風洞の側面に冷却ファンを、風洞の上面に風穴をそれぞれ備え、風穴から送り出される冷却空気の流量又は方向を調節する調整板を位置可変に前記風洞に設置して、モールド変圧器の鉄心や巻線が良好な冷却効果を得られるように冷却空気の分配を調節する技術が開示されている。
【０００６】
【特許文献１】特開平８−７８２４１号公報
【特許文献２】特開平６−３４９６４８号公報
【発明の開示】
【発明が解決しようとする課題】
【０００７】
しかしながら、特開平８−７８２４１号公報に記載された低圧側巻線と高圧側巻線との間の混触防止版に設けた熱電対で前記混触防止版の温度を検出して巻線温度を測定する技術は、前記モールド変圧器の巻線に温度上昇が発生した後の現象を検出することしかできず、変圧器の巻線に近い将来発生する温度上昇の予知や、巻線の温度上昇の予防のためにモールド変圧器の鉄心と巻線の間に形成された冷却空隙を清掃すべき時期を的確に判断することができないという課題がある。
【０００８】
また、特開平６−３４９６４８号公報に記載されたモールド変圧器の下部に設けた風洞の風穴から送り出す冷却風の流量又は方向を調節する調整板を位置可変に前記風洞に設けた技術は、モールド変圧器の鉄心や巻線の良好な冷却効果が得られるように供給する冷却風の分配を調節するものであって、前記モールド変圧器の巻線に近い将来発生する温度上昇の予知や、巻線の温度上昇の予防のために鉄心と巻線の間に形成した冷却空気を流す冷却空隙の清掃の時期を的確に判断することができないという課題がある。
【０００９】
本発明の目的は、モールド変圧器の巻線に発生する温度上昇の予知と、巻線の温度上昇を予防のために鉄心と巻線の間に形成した冷却空隙の清掃時期の的確な判断を可能にしたモールド変圧器の監視システム及びモールド変圧器の監視方法を提供することにある。
【課題を解決するための手段】
【００１０】
本発明のモールド変圧器の監視システムは、鉄心と、鉄心の外周側に設置された樹脂モ
ールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器において、前記冷却空隙の上部に光を発光する光発光器を設置し、前記冷却空隙の下部に光発光器から発光された光を受光する光検出器を設置し、前記光検出器で検出された光量の検出信号に基づいて冷却空隙の通風状態を判断する通風状態判断装置を設置し、前記通風状態判断装置で判断させた冷却空隙の通風状態を表示する表示装置を設置して、モールド変圧器の冷却空隙の通風状態を監視するように構成したことを特徴とする。
【００１１】
また、本発明のモールド変圧器の監視システムは、鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器において、前記冷却空隙の下部にこの冷却空隙を流れる空気の流量を検出する流量検出器を設置し、前記流量検出器で検出された空気流量の検出信号に基づいて冷却空隙の通風状態を判断する通風状態判断装置を設置し、前記通風状態判断装置で判断させた冷却空隙の通風状態を表示する表示装置を設置して、モールド変圧器の冷却空隙の通風状態を監視するように構成したことを特徴とする。
【００１２】
本発明のモールド変圧器の監視方法は、鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器の監視方法であって、前記冷却空隙の上部に設置した光発光器から光を発光し、前記冷却空隙の下部に設置した光検出器によって該光発光器から発光されて冷却空隙を通過した光を受光し、この光検出器で受光されて通風状態判断装置に入力した光量の検出信号と予め設定した光量との設定値との比較に基づいて冷却空隙の通風状態を判断し、この冷却空隙の通風状態の判断結果を表示装置に表示して、モールド変圧器の冷却空隙の通風状態を監視するようにしたことを特徴とする。
【００１３】
また、本発明のモールド変圧器の監視方法は、鉄心と、鉄心の外周側に設置された樹脂モールドコイルの１次巻線と、１次巻線の外周側に設置された樹脂モールドコイルの２次巻線がそれぞれ設置され、鉄心と１次巻線との間、及び１次巻線と２次巻線との間に冷却空気が流れる冷却空隙がそれぞれ形成されたモールド変圧器の監視方法であって、前記冷却空隙の下部に設置した流量検出器によってこの冷却空隙を流れた空気の流量を検出し、この流量検出器で検出されて通風状態判断装置に入力した空気流量の検出信号と予め設定した空気流量との設定値との比較に基づいて冷却空隙の通風状態を判断し、この冷却空隙の通風状態の判断結果を表示装置に表示して、モールド変圧器の冷却空隙の通風状態を監視するようにしたことを特徴とする。
【発明の効果】
【００１４】
本発明によれば、モールド変圧器の巻線に発生する温度上昇の予知と、巻線の温度上昇を予防のために鉄心と巻線の間に形成した冷却空隙の清掃時期の的確な判断を可能にしたモールド変圧器の監視システム及びモールド変圧器の監視方法が実現できる。
【発明を実施するための最良の形態】
【００１５】
本発明の一実施例であるモールド変圧器の監視システム及びモールド変圧器の監視方法について図面を引用して説明する。
【実施例１】
【００１６】
本発明の一実施例であるモールド変圧器の監視システム及びモールド変圧器の監視方法について図１及び図２を用いて説明する。
【００１７】
本実施例のモールド変圧器の監視システムにおいて、モールド変圧器１０の本体は、図１に部分断面図として示したように、タンク１２の内部にそれぞれ収納された鉄心６と、この鉄心６の外周側に該鉄心６と同心状に配置したコイルを樹脂でモールドした１次巻線７と、鉄心６と同心状で前記１次巻線７の外周側に配置したコイルを樹脂でモールドした２次巻線８とから、構成されている。
【００１８】
このモールド変圧器１０は、鉄心６と１次巻線７との間に冷却空気が流れる冷却空隙９aが形成され、１次巻線７と２次巻線８との間に冷却空気が流れる冷却空隙９ｂが形成されている。
【００１９】
この冷却空隙９ａ、９ｂには１次巻線７及び２次巻線８を冷却する冷却空気が自然循環して流れるように構成されている。
【００２０】
尚、モールド変圧器１０が小型の場合はタンク１２の設置は不要であり、冷却空気は冷却空隙９ａ、９ｂに自然循環して流れるようになっている。
【００２１】
図１に記載された本実施例のモールド変圧器１０は、鉄心６を中心としたその右半分で、且つ奥行方向に分割した半分の構成のみを示したモールド変圧器の４分の１の部分断面図である。
【００２２】
本実施例のモールド変圧器１０では、鉄心６と１次巻線７との間に形成される冷却空隙９ａ、及び１次巻線７と２次巻線８との間に形成される冷却空隙９ｂの双方の上部となる位置に、光を発光する光発行器である発光ダイオード５が設置されている。
【００２３】
前記冷却空隙９ａ及び冷却空隙９ｂの下部の位置には、フォトダイオードからなる光検出器である光センサ１ａ、１ｂが夫々設置されており、前記発光ダイオード５から発光されて、該冷却空隙９ａ及び冷却空隙９ｂを通過した光の光量を前記光センサ１ａ、１ｂで検出することによって、冷却空隙９ａ、９ｂを流れる冷却空気の通風状態の状態量として測定する。
【００２４】
即ち、冷却空隙９ａ及び冷却空隙９ｂには１次巻線７及び２次巻線８をそれぞれ冷却させる冷却空気を自然循環によって流通させているが、冷却空気中のほこりや、１次巻線７及び２次巻線８を被覆している樹脂のモールドの断片が経年劣化して剥がれた場合には、前記冷却空隙９ａや冷却空隙９ｂにほこりや樹脂モールドの断片が存在することによって、前記冷却空隙９ａや冷却空隙９ｂの冷却空気の通風状態が低下して１次巻線７や２次巻線８の温度を上昇させることになりかねない。
【００２５】
そこで本実施例のモールド変圧器の監視システムにおいては、モールド変圧器１０の外部に前記光センサ１ａ、１ｂで検出した光量の検出信号を信号線２を通じて入力し、この光量の検出信号に基づいて冷却空隙９ａ、９ｂを流れる冷却空気の通風状態を判断して監視する通風状態判断装置３と、通風状態判断装置３によって判断された冷却空隙９ａ、９ｂの通風状態の判断結果を表示する表示装置４を設置している。
【００２６】
前記表示装置４は、通風状態判断装置３によって判断された冷却空隙９ａ、９ｂの通風状態の判断結果だけでなく、通風状態判断装置３に入力された光センサ１ａ、１ｂによる光量の検出信号を、冷却空隙９ａ、９ｂを流れる冷却空気の通風状態を示す状態量として表示している。
【００２７】
通風状態判断装置３には、冷却空気の通風状態の低下を判断する判定器３１が設置されている。また、通風状態判断装置３には、前記判定器３１の判定に用いられる変圧器の運転が継続可能と判断する基準値となる冷却空隙９ａ、９ｂの通風状態に該当する光量値の閾値（１）と、前記閾値（１）よりも光量値が低く冷却空隙９ａ、９ｂに異物が存在する状況の通風状態に該当する光量値の閾値（２）とを予め設定した設定器３２が備えられている。
【００２８】
前記設定器３２に設定された閾値（２）よりも低い値の光量値であれば、冷却空隙に存在する異物によって冷却空隙９ａ、９ｂが封鎖に至ることを意味している。
【００２９】
そして前記判定器３１には発光ダイオード５から発光して冷却空隙９ａ及び冷却空隙９ｂを通過して前記光センサ１ａ、１ｂにて検出された光量の検出信号がそれぞれ入力されるが、この判断器３１によって光センサ１ａ、１ｂで検出された光量の各検出信号と、設定器３２に設定された閾値（１）及び閾値（２）との比較に基づいて、冷却空隙９ａ及び冷却空隙９ｂを流れる冷却空気の通風状態の程度を判断し、その判断結果を表示装置４に表示する。
【００３０】
本実施例のモールド変圧器の監視システムでは、通風状態判断装置３によってモールド変圧器１０の内部の冷却空隙９a、９ｂを流れる冷却空気の通風状態を監視することができる。
【００３１】
そして図２のフローの左側に示したように、通風状態判断装置３の判断器３１による比較によって前記光センサ１ａ、１ｂで検出された光量の検出信号が設定器３２で設定された閾値（１）よりも高い光量値となる場合は、冷却空隙９ａ及び冷却空隙９ｂの冷却空気の通風状態は「異常なし」と判断し、表示装置４に警報は非表示として、変圧器の運転を継続する。
【００３２】
また、図２のフローの中央に示したように、通風状態判断装置３の判断器３１による比較によって前記光センサ１ａ、１ｂで検出された光量の検出信号が設定器３２で設定された閾値（１）よりも低いが、閾値（２）と同等又は高い光量値となる場合は、冷却空隙９ａ及び冷却空隙９ｂの冷却空気の通風状態は「一部に異常あり」と判断し、表示装置４に「異物が存在」と警報表示して、変圧器の運転はしばらく継続させると共に、「冷却空隙を清掃」と警報表示して、次回の定検時にモールド変圧器１０の運転を停止させ、前記冷却空隙９ａ及び冷却空隙９ｂを人為的に清掃する。
【００３３】
前記冷却空隙９ａ、９ｂの清掃を行なうことでモールド変圧器１０の冷却空隙９ａ及び冷却空隙９ｂを流れる冷却空気の通風状態を所望の状態に回復させて、冷却空隙９ａ、９ｂの異物による閉塞に起因した１次巻線７及び２次巻線８の温度上昇を未然に防ぐことができ、モールド変圧器１０を温度上昇による損傷から守ることができる。
【００３４】
また、モールド変圧器１０の運転を継続させた結果、図２のフローの右側に示したように、通風状態判断装置３の判断器３１による比較によって前記光センサ１ａ、１ｂで検出された光量の検出信号が設定器３２で設定された閾値（２）よりも低い光量値に低下した場合には、冷却空隙９ａ及び冷却空隙９ｂの冷却空気の通風状態は「異常あり」と判断し、表示装置４に「空隙封鎖」と警報表示して、変圧器の運転を停止させる。
【００３５】
「空隙封鎖」との警報表示は、冷却空隙の通風状態が閾値（２）よりも低下したことにより発せられたものであって、１次巻線７及び２次巻線８の温度上昇には即座につながらない。
【００３６】
そこで、通風状態判断装置３によって、前記「空隙封鎖」の警報確認後の冷却空隙９ａ及び冷却空隙９ｂが異物によって完全に閉塞される前の変圧器の定検時に、モールド変圧器１０の内部の前記冷却空隙９a、９ｂを人為的に清掃する。
【００３７】
このように前記冷却空隙９ａ、９ｂの清掃を行なうことでモールド変圧器１０の冷却空隙９ａ及び冷却空隙９ｂを流れる冷却空気の通風状態を再び所望の状態に回復させて、冷却空隙９ａ、９ｂの異物による閉塞に起因した１次巻線７及び２次巻線８の温度上昇を未然に防ぐことができ、モールド変圧器１０を温度上昇による損傷から守ることができる。
【００３８】
次に図１及び図２に示した本実施例のモールド変圧器の監視システムにおいて、モールド変圧器１０の内部の冷却空隙９a、９ｂを流れる冷却空気の通風状態を監視する監視状況について詳細に説明する。
【００３９】
図１及び図２に示した本実施例のモールド変圧器の監視システムにおいて、モールド変圧器１０のタンク１２内に収容された鉄心６と１次巻線７及び２次巻線８との間にそれぞれ形成された冷却空気が流れる冷却空隙９ａ、９ｂの上部に設置された発光ダイオード５から発光され、鉄心６と１次巻線７との間の前記冷却空隙９ａを通過した光を、この冷却空隙９ａの下部に設置したフォトダイオードの光センサ１ａによって検出する。
【００４０】
また、前記発光ダイオード５から発光され、１次巻線７と該１次巻線７の外周側に設置された２次巻線８との間に形成された冷却空隙９ｂを通過した光は、この冷却空隙９ｂの下部に設置したフォトダイオードの光センサ１ｂによって検出する。
【００４１】
前記光センサ１ａ、１ｂで検出された光の検出信号は、監視のために通風状態判断装置３に入力されると共に、冷却空隙９a、９ｂを流れる空気の通風状態を表す状態量として表示装置４で表示される。
【００４２】
上記した本発明の実施例によれば、モールド変圧器の巻線に発生する温度上昇の予知と、巻線の温度上昇を予防のために鉄心と巻線の間に形成した冷却空隙の清掃時期の的確な判断を可能にしたモールド変圧器の監視システム及びモールド変圧器の監視方法が実現できる。
【実施例２】
【００４３】
本発明の他の実施例であるモールド変圧器の監視システム及びモールド変圧器の監視方法について図３及び図４を引用して説明する。
【００４４】
本実施例のモールド変圧器の監視システムは、図１及び図２に示した先の実施例のモールド変圧器の監視システムと基本的な構成及び監視方法は共通しているので、両者に共通した説明は省略し、相違する部分についてのみ説明する。
【００４５】
図３に示した本発明の他の実施例であるモールド変圧器の監視システムにおいて、モールド変圧器１０の内部の鉄心６と１次巻線７との間に形成された冷却空隙９ａ及び１次巻線７と２次巻線８との間に形成された冷却空隙９ｂの下部の位置には冷却空隙９ａ、９ｂを流れる冷却空気の流量を検出する検出器となる圧力センサ１ｃ、１ｄがそれぞれ設置されており、これらの圧力センサ１ｃ、１ｄで検出した前記冷却空隙９ａ、９ｂを流れる冷却空気の流量の検出値が通風状態判断装置３の判断器３１に入力される。
【００４６】
尚、本実施例では冷却空気の流量を検出するセンサとして圧力センサ１ｃ、１ｄを用いた場合を説明したが、これらの圧力センサ１ｃ、１ｄに代えて流量センサを設置しても良い。
【００４７】
通風状態判断装置３には、圧力センサ１ｃ、１ｄで測定した冷却空隙９ａ、９ｂを流れる空気の流量に対して、冷却空隙９ａ、９ｂの良好な通風状態に該当する流量値の閾値（１）と、前記閾値（１）よりも流量値が低く冷却空隙９ａ、９ｂに異物が存在する状況の通風状態に該当する流量値の閾値（２）とを予め設定した設定器３２が備えられている。
【００４８】
そして本実施例のモールド変圧器１０の運転時において、通風状態判断装置３に設けた判断器３１によって前記流量センサ１ｃ、１ｄで検出した冷却空隙９ａ、９ｂを流れる空気の流量検出値と前記設定器３２で設定した流量の閾値（１）及び閾値（２）とを比較して、流量センサ１ｃ、１ｄで検出した流量検出値が設定器３２で設定した閾値（１）よりも高い場合には、冷却空隙９ａ、９ｂが良好な通風状態であると判断してモールド変圧器１０の運転を継続すると共に、表示器４に「異常なし」と表示して警報は非表示とする。
【００４９】
そしてモールド変圧器１０の運転を長期間継続して、通風状態判断装置３の判断器３１による比較によって前記流量センサ１ｃで検出した冷却空隙９ａ、９ｂを流れる空気の流量検出値が設定器３２で設定した閾値（１）よりも低いが閾値（２）よりも高い場合には、冷却空隙９ａ、９ｂの通風状態は「一部に異常あり」と判断し、表示装置４に「異物が存在」と警報表示して、変圧器の運転はしばらく継続させると共に、「冷却空隙を清掃」と警報表示して、次回の定検時にモールド変圧器１０の運転を停止させ、前記冷却空隙９ａ及び冷却空隙９ｂを人為的に清掃する。
【００５０】
前記冷却空隙９ａ、９ｂの清掃を行なうことでモールド変圧器１０の冷却空隙９ａ及び冷却空隙９ｂを流れる冷却空気の通風状態を所望の状態に回復させて、冷却空隙９ａ、９ｂの異物による閉塞に起因した１次巻線７及び２次巻線８の温度上昇を未然に防ぐことができ、モールド変圧器１０を温度上昇による損傷から守ることができる。
【００５１】
また、モールド変圧器１０の運転を継続させた結果、図４のフローの右側に示したように、通風状態判断装置３の判断器３１による比較によって前記流量センサ１ｃで検出した冷却空隙９ａ、９ｂを流れる空気の流量検出値が設定器３２で設定した閾値（２）よりも低い流量値に低下した場合には、冷却空隙９ａ、９ｂの冷却空気の通風状態は「異常あり」と判断し、表示装置４に「空隙封鎖」と警報表示して、変圧器の運転を停止させる。
【００５２】
表示装置４に表示される警報は、冷却空隙９ａ、９ｂの通風状態が低下したことにより発せられるものであり、表示装置４に警報を表示した時点ではモールド変圧器１０の１次巻線７及び２次巻線８の温度上昇には即座につながらない。
【００５３】
そこで、通風状態判断装置３によって前記「空隙封鎖」の警報確認後の冷却空隙９ａ及び冷却空隙９ｂが異物によって完全に閉塞される前の変圧器の定検時に、前記冷却空隙９ａ、９ｂを人為的に清掃施する。
【００５４】
このように前記冷却空隙９ａ、９ｂの清掃を行なうことでモールド変圧器１０の冷却空隙９ａ及び冷却空隙９ｂを流れる冷却空気の通風状態を再び所望の状態に回復させて、冷却空隙９ａ、９ｂの異物による閉塞に起因した１次巻線７及び２次巻線８の温度上昇を未然に防ぐことができ、モールド変圧器１０を温度上昇による損傷から守ることができる。
【００５５】
上記した本発明の実施例によれば、モールド変圧器の巻線に発生する温度上昇の予知と、巻線の温度上昇を予防のために鉄心と巻線の間に形成した冷却空隙の清掃時期の的確な判断を可能にしたモールド変圧器の監視システム及びモールド変圧器の監視方法が実現できる。
【産業上の利用可能性】
【００５６】
本発明は、樹脂製被覆を持つモールド変圧器の監視システム及びモールド変圧器の監視方法に適用可能である。
【図面の簡単な説明】
【００５７】
【図１】本発明の一実施例であるモールド変圧器の監視システムの概略構成を示す部分断面図。
【図２】図１の実施例であるモールド変圧器の監視システムで冷却空隙の通風状態を判断する監視方法を示すフロー図。
【図３】本発明の他の実施例であるモールド変圧器の監視システムの概略構成を示す部分断面図。
【図４】図３の他の実施例であるモールド変圧器の監視システムで冷却空隙の通風状態を判断する監視方法を示すフロー図。
【符号の説明】
【００５８】
１a、１ｂ：光センサ、１ｃ、１ｄ：圧力センサ、２：信号線、３：通風状態判断装置、４：表示装置、５：発光ダイオード、６：鉄心、７：１次巻線、８：２次巻線、９a、９ｂ：冷却空隙、１０：モールド変圧器、１１：送風ファン、１２：タンク、３１：判断器、３２：設定器。
【図１】
2010123609.tif 000003
【図２】
2010123609.tif 000004
【図３】
2010123609.tif 000005
【図４】
2010123609.tif 000006